(57)【要約】  装置は、被写体を含む画像であって、ヘッダ部分を有する画像ファイルに関する画像を表示するとともに、その被写体に関する通信識別子を含む被写体情報を表示するための画像表示部品を含むことができ、被写体情報はヘッダ部分に格納されている。装置は、通信識別子を用いて被写体に連絡するための送受信器を有することができる。装置は、画像及び被写体情報を表示部品に提供し、被写体への連絡要求を受信し、ヘッダ部分から通信識別子を読み出し、通信識別子を送受信器に送信して送受信器に被写体へ連絡させるためのプロセッサを有することができる。
2009542074.tif 000002
【特許請求の範囲】
【請求項１】
被写体を含む画像であって、ヘッダ部分を含む画像ファイルに関連付けられた画像を表示するとともに、
前記ヘッダ部分に格納され、前記被写体に関連付けられた通信識別子を含む被写体情報を表示する、
ための画像表示部品と、
前記通信識別子を用いて前記被写体に連絡するための送受信器と、
前記画像及び前記被写体情報を前記画像表示部品に提供し、
前記被写体への連絡要求を受信し、
前記通信識別子を前記ヘッダ部分から読み出し、
前記通信識別子を前記送受信器へ送信して前記送受信器に前記被写体への連絡を行わせる、
ためのプロセッサ、
とを有することを特徴とする装置。
【請求項２】
ユーザ入力に応答して前記画像を取り込むためのカメラをさらに有することを特徴とする請求項１記載の装置。
【請求項３】
前記通信識別子が、名前、電話番号、電子メールアドレス、インスタントメッセージングアドレス、インターネットプロトコルアドレス、又は住所を有することを特徴とする請求項１記載の装置。
【請求項４】
前記ヘッダ部分が、ヘッダ、開始フレーム、開始セグメント、マーカ、又はタグを有することを特徴とする請求項１記載の装置。
【請求項５】
前記送受信器が、電話番号をダイヤルして、電子メールアドレスに電子メールを送信して、又はインスタントメッセージングアドレスにインスタントメッセージを送信して、前記被写体に連絡することを特徴とする請求項１記載の装置。
【請求項６】
前記プロセッサが、音声プロンプト、コントロールキー信号、キーパッド信号、又はタッチセンサー式ディスプレイ信号に応答して前記要求を受信することを特徴とする請求項１記載の装置。
【請求項７】
前記プロセッサが、前記命令の提供に先立って、前記被写体を選択する選択インジケータを受信することを特徴とする請求項１記載の装置。
【請求項８】
前記装置が、前記被写体情報をユーザ又は他の装置から受信することを特徴とする請求項１記載の装置。
【請求項９】
前記装置が、前記ヘッダ部分の中の前記被写体情報を保存するためのストレージを有することを特徴とする請求項１記載の装置。
【請求項１０】
前記送受信器が、前記画像及び前記被写体情報を、自動的に、又はリモート装置からの要求に基づいて、宛先に送信することを特徴とする請求項１記載の装置。
【請求項１１】
画像であって、当該画像に現れている被写体に関連付けられた被写体情報がヘッダに格納された画像をリモート装置から受信するとともに、
前記被写体情報に基づいて生成される通信要求に基づいて前記被写体との通信セッションを確立する、
ための送受信器と、
前記画像及び前記被写体情報を表示するためのディスプレイと、
前記被写体情報を前記ヘッダから読み出し、
前記被写体情報及び前記画像を前記ディスプレイに提供し、
前記画像の内容又は前記被写体情報に基づいて生成されるユーザ入力に応答して前記通信要求を生成する、
ためのプロセッサ、
とを有することを特徴とする移動端末。
【請求項１２】
第２の画像を取り込むためのカメラを有し、
前記プロセッサが、
第２の被写体情報を前記第２の画像のヘッダに関連付け、
前記ヘッダから前記第２の被写体情報を読み出し、
前記読み出された第２の被写体情報に基づいて、第２の被写体との第２の通信セッションを確立するために用いられる第２の通信要求を生成する、
ことを特徴とする請求項１１記載の移動端末。
【請求項１３】
複数の画像を含む画像カタログを維持するための手段と、
前記複数の画像のうち、被写体を含んだ１つの画像と、当該被写体に関連付けされた被写体情報とを表示するための手段と、
前記被写体情報であって、前記１つの画像のヘッダから読み出され、通信情報をさらに有する前記被写体情報を受信するための手段と、
前記通信情報を用いて前記被写体と通信するための手段と、
を有することを特徴とする無線装置。
【請求項１４】
ヘッダを有する画像を受信する工程と、
被写体又は前記被写体についての連絡先情報を特定する被写体情報を、前記ヘッダから読み出す工程と、
無線装置のディスプレイを用いて前記画像及び前記被写体情報を表示する工程と、
前記表示する工程に基づいて前記被写体情報を選択する工程と、
前記選択する工程に基づいて、前記連絡先情報を用いて前記被写体との通信セッションを確立する工程と、
を有することを特徴とする方法。
【請求項１５】
前記受信する工程が、カメラから前記画像を受信する工程をさらに有するとともに、
前記方法が、
リモート装置、ユーザ入力、ローカルデータベース、リモートデータベース、ローカルアプリケーション、又はリモートアプリケーションを用いて前記被写体情報を受信する工程をさらに有することを特徴とする請求項１４記載の方法。
【請求項１６】
前記画像及び前記被写体情報を前記通信セッション中に前記リモート装置に送信する工程をさらに有することを特徴とする請求項１４記載の方法。
【請求項１７】
画像を取り込む工程と、
データ部分及びヘッダ部分を有する画像ファイルを生成する工程と、
前記データ部分に前記画像を、前記ヘッダ部分に、ユーザを特定し、電話番号、電子メールアドレス、又はインスタントメッセージアドレスを含む被写体情報を、それぞれ自動的に格納する工程と、
宛先装置で前記画像データを表示することに応答して、前記宛先装置が前記被写体情報を用いて前記ユーザに連絡することができるよう、前記画像ファイルを無線リンクを介して宛先へ送信する工程と、
を有することを特徴とする方法。
【請求項１８】
画像を取り込む工程と、
データ部分及びヘッダ部分を有する画像ファイルを生成する工程と、
被写体名および被写体連絡先情報を含み、前記画像内の被写体に関連付けられた被写体情報を、アプリケーションから読み出す工程と、
前記データ部分を用いて前記画像を格納する工程と、
前記ヘッダ部分を用いて前記被写体情報を格納する工程と、
前記被写体連絡先情報に基づいて前記被写体との通信セッションを確立する工程と、
を有し、
前記被写体連絡先情報は、前記通信セッションの確立に先立って前記ヘッダから読み出されることを特徴とする方法。
【請求項１９】
前記読み出す工程は、無線装置で稼働中のローカルアプリケーション、又は、無線リンクを介して前記無線装置にデータを送信するリモートアプリケーションから、前記被写体情報を読み出す工程を有することを特徴とする請求項１８記載の方法。
【請求項２０】
前記画像及び前記被写体情報を表示する工程と、
ユーザ入力に応答して命令を生成する工程と、
をさらに有し、
前記確立する工程は、前記命令に応答して実行されることを特徴とする請求項１８記載の方法。
【発明の詳細な説明】
【技術分野】
【０００１】
本明細書に記載される実施は概して無線装置に関するもので、より具体的には無線装置に表示される画像に関する動作の実行に関する。
【背景技術】
【０００２】
移動通信装置のような装置は、それらを消費者にとってより便利にするために、通信機能以外の機能を実行することができる。例えば、移動通信装置は、音楽及び／又はビデオファイルを保存並びに再生したり、さらには／あるいは静止画像やビデオを記録したりするように構成されうる。
【０００３】
画像を記録するために個別にカメラを持ち運ぶ必要がないので、撮影機能を有する移動通信装置を消費者は非常に便利であると感じるであろう。移動通信装置の持ち運びやすさから、ユーザは自分が様々な場所で移動通信装置で撮影することに気付くであろう。
【０００４】
ユーザは、移動通信装置で撮影した写真に写っている人の名前を覚えていない場合もあるだろう。例えば、ユーザは、移動通信装置を用いて撮影した写真に写っている人に電話したくなるかもしれない。その人の名前が移動通信装置の電話帳に登録されていたとしても、ユーザはその人の名前を思い出すことができないかもしれない。ユーザは、その人の容姿と名前とを関連付けることができないので、その人の名前を容易に思い出せないかもしれない。
【発明の概要】
【０００５】
１つの見地によれば、装置が提供される。この装置は、被写体を含む画像であって、ヘッダ部分を有する画像ファイルに関連付けられた画像を表示するとともに、その被写体に関連付けられた通信識別子を含む被写体情報を表示するための画像表示部品を有することができ、被写体情報はヘッダ部分に格納されている。装置は、通信識別子を用いて被写体と連絡するための送受信器を有することができる。装置は、画像及び被写体情報を表示部品に提供し、被写体への連絡要求を受信し、ヘッダ部分から通信識別子を読み出し、通信識別子を送受信器に送信して送受信器に被写体へ連絡させるためのプロセッサを有することができる。
【０００６】
さらに、装置は、ユーザ入力に応答して画像を取り込むカメラを含むことができる。さらに、通信識別子は名前、電話番号、電子メールアドレス、インスタントメッセージングアドレス、インターネットプロトコルアドレス、又は住所を含むことができる。
【０００７】
さらに、ヘッダ部分はヘッダ、開始フレーム、開始セグメント、マーカ、又はタグを含むことができる。さらに、送受信器は電話番号をダイヤルして、電子メールアドレスに電子メールを送信して、またはインスタントメッセージングアドレスにインスタントメッセージを送信して、被写体に連絡する。
【０００８】
さらに、プロセッサは、音声プロンプト、コントロールキー信号、キーパッド信号、又はタッチセンサー式ディスプレイ信号に応答して要求を受信する。
【０００９】
さらに、プロセッサは命令の提供に先立って、被写体を選択する選択インジケータを受信する。
【００１０】
さらに、装置は被写体情報をユーザ又は他の装置から受信する。さらに、装置は、ヘッダ部分の被写体情報を格納するためのストレージを有することができる。さらに、送受信器は画像及び被写体情報を、自動的に、あるいはリモート装置からの要求に基づいて、宛先に送信する。
【００１１】
別の見地によれば、移動端末が提供される。移動端末は、画像であって、当該画像に現れている被写体に関連付けられた被写体情報がヘッダに格納された画像をリモート装置から受信するとともに、通信要求に基づいて被写体との通信セッションを確立する送受信器を含むことができ、通信要求は被写体情報に基づいて生成される。移動端末は、画像及び被写体情報を表示するディスプレイを含むことができる。移動端末は、ヘッダから被写体情報を読み出し、被写体情報および表示すべき画像を提供し、ユーザ入力に応答して通信要求を生成するプロセッサを有することができ、ユーザ入力は画像の内容又は被写体情報の内容に基づいて生成される。
【００１２】
さらに、移動端末は第２の画像を取り込むためのカメラを有することができ、プロセッサは第２の被写体情報を第２の画像のヘッダに関連付け、読み出された第２の被写体情報に基づいて第２の通信要求を生成し、読み出された第２の被写体情報に基づいて第２の通信要求を生成し、第２の通信要求は第２の被写体との第２の通信セッションを確立するために用いられる。
【００１３】
さらに別の見地によれば、無線装置が提供される。無線装置は、複数の画像を含む画像カタログを維持するための手段と、複数の画像のうち、被写体を含んだ１つと、当該被写体に関連付けられた被写体情報とを表示するための手段と、複数の画像の１つのヘッダから読み出され、通信情報をさらに有する被写体情報を受信するための手段と、通信情報を用いて被写体と通信するための手段とを有することができる。
【００１４】
さらに別の見地によれば、方法が提供される。方法は、ヘッダを有する画像を受信する工程と、被写体又はその被写体についての連絡先を特定する被写体情報をヘッダから読み出す工程と、無線装置のディスプレイを用いて画像と被写体情報を表示する工程と、この表示に基づいて被写体情報を選択する工程と、選択に基づいて、連絡先を用いて被写体との通信セッションを確立する工程とを含むことができる。
【００１５】
さらに、受信する工程が、カメラから画像を受信する工程をさらに有するとともに、方法が、リモート装置、ユーザ入力、ローカルデータベース、リモートデータベース、ローカルアプリケーション、又はリモートアプリケーションを用いて被写体情報を受信する工程をさらに有する。
【００１６】
さらに方法は、画像及び被写体情報を通信セッション中にリモート装置に送信する工程を有することができる。
【００１７】
さらに別の見地によれば、方法が提供される。方法は、画像を取り込む工程と、データ部分及びヘッダ部分を有する画像ファイルを生成する工程と、データ部分に画像を、ユーザを特定し、電話番号、電子メールアドレス、又はインスタントメッセージアドレスを含む被写体情報をヘッダ部分に、それぞれ自動的に格納する工程と、宛先装置で画像データを表示することに応答して、宛先装置が被写体情報を用いてユーザに連絡することができるよう、画像ファイルを無線リンクを用いて宛先へ送信する工程とを有することができる。
【００１８】
さらに別の見地によれば、方法が提供される。方法は、画像を取り込む工程と、データ部分及びヘッダ部分を有する画像ファイルを生成する工程と、被写体名および被写体連絡先情報とを含み、画像内の被写体に関連付けられた被写体情報を、アプリケーションから読み出す工程とを有することができる。方法は、データ部分を用いて画像を格納する工程と、ヘッダ部分を用いて被写体情報を格納する工程と、被写体連絡先情報に基づいて被写体との通信セッションを確立する工程とを有することができ、被写体連絡先情報は、通信セッションの確立に先立ってヘッダから読み出される。
【００１９】
さらに、読み出す工程は、無線装置で稼働中のローカルアプリケーション、又は、無線リンクを用いて無線装置にデータを送信するリモートアプリケーションから、被写体情報を読み出す工程を有する。
【００２０】
さらに、方法は、画像及び被写体情報を表示する工程と、ユーザ入力に応答して命令を生成する工程とを有し、確立する工程はこの命令に応答して実行される。
【図面の簡単な説明】
【００２１】
【図１Ａ】、
【図１Ｂ】移動端末の例示的な実施形態の図である。
【図２】移動端末の例示的な機能図である。
【図３Ａ】、
【図３Ｂ】例示的なデータ構造を示す図である。
【図４Ａ】表示された画像に情報を関連付ける例示的な方法を示す図である。
【図４Ｂ】情報を、移動端末を用いて表示可能な画像にリンクする例示的な方法を示す図である。
【図５】画像に基づく発呼を実行するために使用可能な例示的な処理を示す図である。
【発明を実施するための形態】
【００２２】
以下、添付図面を参照して、本発明を詳細に説明する。異なる図面における同一の参照符号は、同一又は類似の要素を特定しうる。また、以下の詳細な説明は、本発明を限定しない。
【００２３】
ここで説明する実装は、画像に関連付けられた動作を実行するために使用可能である。例えば、移動端末はデジタルカメラを備えることができる。ユーザはカメラを用いてデジタル写真（画像）を撮影し、その画像に現れる人物に関連付けられた情報、その画像の内容に関連付けられた情報、撮影した人物に関連付けられた情報等の情報を、その画像に関連付けたいと望むかもしれない。
【００２４】
ある実施形態では、情報をユーザから受信することができるとともに、情報を画像に関連付けることができる。例えば、移動端末は、名前、電話番号、電子メールアドレス、住所など、画像内の人物（被写体）特定する情報をユーザから受信することができる。移動端末は、ユーザが画像内の人物と通信することができるよう、入力された情報を画像に関連付けることができる。画像はデータ部分とヘッダ部分を含むことができる。移動端末は、情報（例えば電話番号）を、ヘッダ部分に格納することができる。移動端末は情報をヘッダ部分から読み出すことができ、読み出した情報をデータと共に表示することができる。ユーザは移動端末で用いられるディスプレイ上で画像を見ることができ、表示される画像は、画像内の人物の名前及び／又は電話番号を含んでよい。ユーザは画像内の人物の一人に関連付けられた電話番号を選択デバイス（例えばカーソル）を用いて選択することができ、キーパッド入力、コントロールキー入力、タッチセンサー式ディスプレイ入力、及び／又は音声プロンプトを用いてその人物の電話番号をダイヤルすることができる。
【００２５】
ある実施形態は、情報を画像に自動的に関連付けることができ、画像が宛先へ送信される際に、関連付けられた情報を宛先に送信することができる。例えば、ユーザの移動端末はそのユーザの名前、アドレス及び／又は電話番号を、その移動端末のカメラを用いてユーザが取り込んだ画像と自動的に関連付けてよい。ユーザの名前、アドレス及び／又は電話番号は、その画像と共に宛先に送信されてよい。
【００２６】
別の実施形態は、移動端末上の画像のカタログを維持することができる。ユーザは、複数の画像に渡ってスクロール可能であって良く、移動端末を用いて複数の画像を見る際に、画像内の人物に関連付けられた情報を見ることが可能であってよい。例えば、ユーザは二人の人物が写った画像を見ることができ、その二人の名前、アドレス及び／又は電話番号が、表示された画像の下側部分に重畳表示されてよい。ユーザは画像に現れる第１の人物に発呼するため、第１のキーを押下することができ、画像に現れる第２の人物に発呼するために第２のキーを押下することができる。電話帳アプリケーションのような、移動端末上の他のアプリケーションにアクセスせずに、及び／又は電話番号を手動でダイヤルすることなしに、ユーザが一方又は両方の人物に発呼可能であってよい。
【００２７】
さらに別の実施形態において、ユーザは移動端末を用いて画像を取り込み、画像にラベルを付けることができる。例えば、ユーザは画像を取り込み、その画像に”Bill”とラベルを付けることができる。移動端末はアプリケーション（例えば連絡先情報データベース）にアクセスし、Billという名前の一人以上の人物についての連絡先情報を読み出すことができる。例えば、移動端末は、Bill Smith、Bill Jones、及びBill Hillを表示することができる。ユーザは、画像に現れる人物の名前（例えばBill Jones)を選択することができる。移動端末は選択された名前（Bill Jones）に関連付けられた情報を、Bill Jonesの写真を含む画像のヘッダ部分へ、自動的にコピーすることができる。
【００２８】
実施形態は、画像中の人物の電話番号及び／又は名前を電話帳アプリケーションのような移動端末で稼働中の他のアプリケーションから読み出すことなく、ユーザが画像中の複数の被写体を特定し、それら複数の被写体に発呼することを可能にすることができる。
【００２９】
ここで用いられているように、”被写体情報”とは、ディスプレイを用いて表示される画像及び／又はメモリに格納される画像に関連付けられた、被写体に関連付けられた情報を示す。画像に関連付けられることができ、また、関連する被写体情報を有することができる被写体の例は、人物、動物、ランドマーク、物体(object)、等を含むことができる。被写体情報の例は、電話番号、電子メールアドレス、インスタントメッセージ(IM)アドレス、インターネットプロトコル(IP)アドレス、自宅／勤務先住所、などを含むことができる。
【００３０】
例示的な実施形態を、移動通信端末に関して説明する。移動通信端末は、ここで説明される、画像に基づく発呼方法を使用可能な装置の種類の一例であり、画像に基づく発呼方法を使用可能な装置又は用途の種類を限定するものと解釈すべきものでないことを理解されたい。例えば、ここで説明する、画像に基づく発呼方法は、フィルムカメラ及び／又はデジタルカメラのような、ケーブル又は他の種類の相互接続手段によって通信装置又はネットワークに接続可能な他の種類の装置、及び／又は、カメラのような機能及び通信機能を含むことが可能な他の種類の装置においても利用可能である。
【００３１】
例示的な移動端末
図１Ａは、移動端末１００の例示的な実施例の図である。移動端末１００（以下、端末１００）は移動通信装置であってよい。また、本明細書において、”移動通信装置”及び／又は”移動端末”とは、無線電話機、セルラ無線電話機とデータ処理機能、ファクシミリ機能及び／又はデータ通信機能とを組み合わせたパーソナル通信システム（ＰＣＳ）端末、無線電話、ポケットベル、インターネット／イントラネットアクセス、ウェブブラウザ、スケジュール帳(organizer)、カレンダ及び／又はＧＰＳ受信機を含みうる携帯情報端末（ＰＤＡ）及び、無線電話送受信器を含むことのできる、ラップトップ及び／又はパームトップ受信機、又は他の電化製品を含むことができる。
【００３２】
端末１００は筐体１０１、キーパッド１１０、コントロールキー１２０、スピーカ１３０、ディスプレイ１４０及びマイク１５０及び１５０Ａを含んでよい。筐体１０１は端末１００で用いられるデバイス及び部品を保持するように形成された構成を含むことができる。例えば、筐体１０１はプラスチック、金属、又は他の素材から形成されることができ、キー１１２Ａ〜Ｌ（まとめてキー群１１２という）、コントロールキー１２０、スピーカ１３０、ディスプレイ１４０及びマイク１５０又は１５０Ａを指示するように構成されることができる。１つの実施形態において、筐体１０１は端末１００の前面または正面を形成しうる。
【００３３】
キーパッド１１０は、キー１１２Ａ〜Ｌのような、ユーザが情報を端末１００へ入力するために使用可能な入力装置を含むことができる。キー群１１２は、（図１Ａに示されるような）キーパッドで、キーボードで、又は他の何らかのキー配列で用いられうる。キー群１１２の実施形態は、数字、文字、シンボルなどといった、それらに関連付けられる情報を含むことができる。ユーザはキー群１１２を操作して、キー情報を端末１００へ入力することができる。例えば、ユーザはキー群１１２を操作して、数字、コマンド、及び／又はテキストを端末１００へ入力することができる。
【００３４】
コントロールキー１２０は、端末１００が備えるデジタルカメラを用いてデジタル写真を撮影させたり、ディスプレイ１４０を用いてテキストメッセージを表示させたり、スピーカ１３０の音量設定を上げ下げさせたり、通信セッションを確立させたりといった動作を端末１００に行わせるために、ユーザが端末１００とやりとりすることを可能にするボタンを含むことができる。スピーカ１３０は端末１００のユーザに可聴情報を提供するデバイスを含むことができる。スピーカ１３０は端末の上部に配置されることができ、ユーザが端末１００を用いて通信セッションに携わっている際に、イヤピースとして、又はイヤピースと共に機能することができる。
【００３５】
ディスプレイ１４０は、ユーザに視覚情報を提供するデバイスを含むことができる。例えば、ディスプレイ１４０は、着呼又は発呼、テキストメッセージ、ゲーム、画像、ビデオ、電話帳、現在の日付／時刻、音量設定、等に関する情報を、端末１００のユーザに提供することができる。ディスプレイ１４０は、ディスプレイ１４０が端末１００のユーザからの入力を受け付けることを可能にする接触感知素子を含むことができる。ディスプレイ１４０の実施形態は、静止画像又はビデオの表示であってよい。ディスプレイ１４０の実施形態は、基地局及び／又は他の形式の送信機のような、端末１００に情報を送信している装置に関する情報の表示を含むこともできる。マイク１５０及び／又は１５０Ａは、それぞれ、音声又は他の音響信号を、端末１００が用いるための電気信号に変換するデバイスを含むことができる。
【００３６】
図１Ｂは、端末１００の背面１０２を示す。背面１０２はフラッシュ１６０、レンズ１７０及びレンジファインダ１８０を含むことができる。背面１０２はプラスチック、金属、及び／又は他の素材から形成されることができ、フラッシュ１６０、レンズ１７０及びレンジファインダ１８０を指示するように構成されてよい。
【００３７】
フラッシュ１６０は、レンズ１７０で写真撮影されている被写体を照らすためのデバイスを含むことができる。フラッシュ１６０は白熱光源、発光ダイオード(LED)を用いた光源、キセノンベースの光源、及び／又は他の形式の発光デバイスを含むことができる。レンズ１７０は、画像に関する光学情報を受信するためのデバイスを含むことができる。例えば、レンズ１７０は、被写体からの反射光を受け、反射光を用いた被写体のデジタル表現を取り込むことができる。レンズ１７０は、端末１００に実装されたデジタルカメラの一部として動作する光学要素、機械要素、及び／又は電気要素を含むことができる。
【００３８】
レンジファインダ１８０はレンズ１７０から被写体（例えば、端末１００を用いて撮影されている被写体）までの距離を求めるためのデバイスを含むことができる。レンジファインダ１８０はフィードバックループとともに、画像の鮮明さを求めることによって動作することができる。例えば、カメラ２５０を画像に合焦させることを可能にするため、レンズ１７０を用いて取り込まれた画像の鮮鋭さに関する誤差をフィードバックとして用いることができる。別の実施形態に係るレンジファインダ１８０は、レンズ１７０とともに動作する撮像デバイスについて被写体にピントを合わせる、レンズ１７０に付属するオートフォーカス素子に接続されてもよい。レンジファインダ１８０は超音波信号、赤外線信号、等を用いて動作することができる。例えば、レンジファインダ１８０の一実施形態は、薄暗い環境においてフィードバックベースのオートフォーカスを可能とするため、ＬＥＤを用いて被写体を照射することができる。
【００３９】
例示的な機能図
図２は、端末１００の例示的な機能図を示す。図２に示すように、端末１００は、処理ロジック２１０、ストレージ２２０、ユーザインタフェース２３０、通信インタフェース２４０、カメラ２５０、画像表示ロジック２６０、及びアップロード／ダウンロードロジック２７０を含むことができる。処理ロジック２１０はプロセッサ、マイクロプロセッサ、特定用途向け集積回路(ASIC)、フィールドプログラマブルゲートアレイ(FPGA)、等を含むことができる。処理ロジック２１０は、端末１００及び、カメラ２５０のような構成部品の動作を制御するためのデータ構造又はソフトウェアプログラムを含んでよい。ストレージ２２０は、処理ロジック２１０によって用いられてよいデータ及び命令を格納するための、ランダムアクセスメモリ(RAM)、読み出し専用メモリ(ROM)、磁気又は光学ディスク及び対応するドライブ、及び／又は他の形式のメモリを含むことができる。
【００４０】
一実施形態に係る処理ロジック２１０は、ヘッダ部のような、画像又は画像ファイルのある部分への情報の挿入、及び／又は被写体情報のヘッダ部へのリンク、を行うことができる。別の実施形態において、処理ロジック２１０は、カメラ２５０が画像を取り込んだ際に、画像の一部（例えばヘッダ部）に、自動的に被写体情報を関連付けてもよい。これにより、通信インタフェース２４０及び／又はアップロード／ダウンロードロジック２７０を用いて、画像及び／又は被写体情報を宛先装置へ送信することが可能になる。さらに別の実施形態において、処理ロジック２１０はストレージ２２０及び／又は画像表示ロジック２６０とともに、画像のカタログを制御することができる。例えば、処理ロジック２１０はカタログ内の画像をユーザがスクロールすることを可能にし、さらに、１回の操作、例えばユーザ入力、により、ユーザが画像内の被写体に関連付けられた電話番号へ発呼することを可能にすることができる。またさらに別の実施形態において、処理ロジック２１０は被写体情報、例えば名前、電話番号、等を別のアプリケーション（例えばアドレス帳アプリケーション）から読み出してよく、また、表示された画像に読み出した情報をラベル付けしてよい。さらに処理ロジック２１０は、読み出した情報を画像のヘッダ部に挿入し、被写体情報が画像とともに格納されることを可能にしてもよい。
【００４１】
ユーザインタフェース２３０は、情報を端末１００に入力するための機構、及び／又は端末１００から情報を出力するための機構を含むことができる。入力及び出力機構の例は、電気信号を受信して音声信号を出力するスピーカ（例えばスピーカ１３０）、音声信号を受信して電気信号を出力するマイク（例えばマイク１５０）、データ及び制御コマンドを端末１００へ入力することを可能にするボタン（例えばコントロールキー１２０及び／又はキー群１１２）、視覚情報を出力するためのディスプレイ（例えばディスプレイ１４０）、及び／又は端末１００を振動させるバイブレータを含んでよい。
【００４２】
通信インタフェース２４０は例えば、アンテナ、処理ロジック２１０からのベースバンド信号を無線周波数（RF）信号に変換してよい送信器、及び／又はアンテナからのRF信号をベースバンド信号に変換してよい受信器を含むことができる。あるいは、通信インタフェース２４０は送信器及び受信器の両方の機能を実行する送受信器を含んでもよい。通信インタフェース２４０は、端末１００を代表して通信セッションを確立する際、処理ロジック２１０は、画像表示ロジック２６０、及び／又はアップロード／ダウンロードロジック２７０のような他の構成とともに動作することができる。
【００４３】
カメラ２５０は、端末１００を用いて静止画像又は動画像を生成するためのハードウェア及びソフトウェアベースのロジックを含むことができる。一実施形態において、カメラ２５０は電荷結合素子(CCD)及び／又は相補型金属酸化型半導体(CMOS)素子のような固体撮像素子を含んでよい。他の実施形態において、カメラ２５０は、画像をフィルムに記録するために用いられるようなデバイスのような、非半導体デバイスを含んでもよい。
【００４４】
画像表示ロジック２６０は、画像を端末１００に表示するためのハードウェア又はソフトウェアを含むことができる。画像表示ロジック２６０は、液晶ディスプレイ(LCD)ベースのデバイスのような、フラットパネルディスプレイデバイスを含んでよい。画像表示ロジック２６０の実施形態は、端末１００のユーザに情報を表示し、及び／又はユーザ入力を受け付けるように適合されたタッチセンサ式ディスプレイデバイスを含むことができる。画像表示ロジック２６０は静止画像（例えば写真）、動画像（例えばビデオ）、テキスト、数字、シンボル、等を端末１００のユーザに対して表示する。
【００４５】
一実施形態において、画像表示ロジック２６０はディスプレイ１４０を用いて画像及び被写体情報を表示してもよい。画像表示ロジック２６０は、画像を表示のために読み込んだ際に、画像に関連付けられた構造情報（例えばヘッダ情報、開始フレーム情報、開始マーカ情報、開始シーケンス情報、等）を特定してもよい。画像表示ロジック２６０は構造情報に関して１つ又は複数のフィールド（例えば画像のヘッダ内の汎用フィールド）から被写体情報を読み出してもよく、ディスプレイ１４０を用いて画像の一部に被写体情報を表示してもよい。
【００４６】
画像表示ロジック２６０は、画像、画像の一部、及び／又はディスプレイ１４０を用いて表示された他の情報（例えば被写体情報）をユーザが選択できるよう、１つ又は複数の選択デバイス（例えばカーソル、選択ウィンドウ、等）をサポートしてよい。画像表示ロジック２６０は、ユーザがディスプレイ１４０上の画像中に現れている被写体及び／又はディスプレイ１４０に現れている被写体と関連する個人（例えば、画像中に現れている建物の持ち主であり、建物はそれに関連付けられた電話番号、電子メールアドレス等を有する）と通信することを可能にするため、通信インタフェース２４０、ユーザインタフェース２３０、及び／又はアップロード／ダウンロードロジック２７０とともに動作してよい。
【００４７】
アップロード／ダウンロードロジック２７０は画像及び／又は画像に関連付けられた情報を宛先に送信するための、及び／又は画像及び／又は画像に関連付けられた情報を受信するための、ソフトウェア又はハードウェアを含んでよい。例えば、アップロード／ダウンロードロジック２７０は、宛先装置（例えばサーバ）へ画像（例えばデータ及び被写体情報）を送信するため、通信インタフェース２４０とともに動作してよい。アップロード／ダウンロードロジック２７０は画像及び／又は画像に関連付けられた情報を、自身の肖像が端末１００に格納されている画像に登場する被写体、によって操作されるPDAのような他の装置から受信してもよい。例えば、アップロード／ダウンロードロジック２７０は、画像及び／又は被写体情報を、他の装置から／他の装置へ、電子メール、IEEE 802.x（例えばブルートゥース（登録商標））、IrDA (Infrared Data Association)、マルチメディアメッセエージングサービス(MMS)、等を用いて受信及び／又は送信してよい。アップロード／ダウンロードロジック２７０は、画像及び／又は他の情報を他の装置へ／からアップロード／ダウンロードする際、処理ロジック２１０、ストレージ２２０、通信インタフェース２４０、及び／又は表示ロジック２６０とともに動作してよい。アップロード／ダウンロードロジック２７０及び／又は通信インタフェース２４０は、画像及び／又は被写体情報といった情報を送信及び／又は受信する際、宛先との連絡を確立するために、通信識別子（例えば名前、電話番号、電子メールアドレス、IMアドレス、IPアドレス、等）を用いてよい。
【００４８】
以下で詳細に説明するように、端末１００は、端末１００を用いて取り込まれた画像（例えばデジタル写真）に被写体情報及び／又は注釈を関連付けることに関する所定の動作を実行することができる。ストレージ２２０のようなコンピュータ読み取り可能な媒体に格納されている、画像に基づく通信アプリケーションのソフトウェア命令を処理ロジック２１０が実行することに応答して、端末１００はそれら動作を実行してよい。コンピュータ読み取り可能な媒体は、物理的又は論理的記憶デバイス及び／又は搬送波として規定することができる。
【００４９】
ソフトウェア命令は、他のコンピュータ読み取り可能な媒体から、又は他の装置から、通信インタフェース２４０を用いてストレージ２２０に読み込まれてよい。ストレージ２２０に格納されるソフトウェア命令は、以下に説明する処理を処理ロジック２１０に実行させてよい。あるいは、ソフトウェア命令に代えて、もしくはソフトウェア命令と組み合わせて、ハードウェア回路を用いて本発明の原理に従って処理を実施してもよい。従って、本発明の原理に従った実施は、ハードウェア回路及びソフトウェアの特定の組み合わせには限定されない。
【００５０】
例示的データ構造
図３Ａ及び図３Ｂは、例示的なデータ構造３００及び３０２をそれぞれ示す図である。データ構造３００／３０２は装置が読み取り可能なフォーマットで情報を格納するコンピュータ読み取り可能な媒体を通じて実現されてよい。データ構造３００／３０２内の情報は、データ構造３００／３０２内の情報を端末１００のユーザ及び／又は処理ロジック２１０が解釈することを容易にするため、行及び列形式に配列されてよい。
【００５１】
データ構造３００／３０２はヘッダ、開始フレーム、開始シーケンス、開始マーカ、開始タグ、等の、画像に含まれるデータといった、画像を表すデータに関する部分を表してよい。例えば、データ構造３００／３０２は、JPEG (Joint Picture Expert' s Group)、Exif (Exchangeable Image File Format)、TIFF (Tagged Image File Format)、GIF (Graphic Interchange Format)、PNG (Portable Network Graphics)、ビットマップ、JFIF (JPEG File Interchange Format)、等、画像ファイル形式についてのヘッダフィールドを表してもよい。他の実施形態において、データ構造３００／３０２は、画像データを格納するファイルの他の部分を表してもよい。
【００５２】
図３Ａを参照して、データ構造３００は画像識別子(ID)３１０、日付３１５、時刻３２０、カメラ機種３２５、光源３３０、ISO (International Organization for Standards)感度３３５、汎用フィールド(1)３４０及び汎用フィールド(N)３４５を含んでよい。画像ID３１０は、端末１００内の画像を特定する情報を含んでいる。画像ID３１０は、番号（例えば01, 02, 等）、名前（画像01、新しい仕事の初日、私の犬、等）、リンク（例えば、その画像に対する名前を含んだファイルへのリンク）、などを含んでよい。日付３１５は、画像ID３１０で特定される画像に関連付けられた日付を特定する情報を含んでよい。日付３１５はその画像の撮影、変更、保存、宛先への送信などがいつ行われたかを特定してもよい。時刻３２０は、画像ID３１０で特定される画像の撮影、変更、保存、宛先への送信などがどの時刻に行われたかを特定する情報を含んでよい。
【００５３】
カメラ機種３２５は、画像ID３１０で特定される画像に関連付けられたカメラを特定する情報を含んでよい。カメラ機種３２５はメーカ名及び／又は機種番号を含んでよい。光源３３０は、画像ID３１０で特定される画像に関して推定された光源を特定する情報を含んでよい。例えば、光源３３０は、端末１００で画像が取り込まれた際に用いられた推定光源がフラッシュ１６０であることを示す”フラッシュ”、及び／又は端末１００で画像が取り込まれた際に用いられた推定光源が定常光であることを示す”自然光”を含んでよい。ＩＳＯ感度３３５は、画像ID３１０で特定される画像に関連付けられたＩＳＯ感度を特定する情報を含んでよい。
【００５４】
汎用フィールド(1)３４０及び汎用フィールド(N)３４５は、利用可能なフィールドであってよいJPEG画像汎用フィールドのような、画像についてのヘッダ部分に関連付けられた様々な情報を含んでよい。ここで説明するように、端末１００を用いた画像ベースの発呼を容易にするために被写体情報を画像に関連付けるアプリケーションは、所定の情報を汎用フィールド(1)３４０及び／又は汎用フィールド(N)３４５に格納することができる。汎用フィールド(1)３４０及び／又は汎用フィールド(N)３４５における情報は、アドレス、リンク及び／又は、データのようなコンテンツを含んでよい。一実施形態において、汎用フィールド(1)３４０は、データ構造３０２のような、画像ID３１０で特定される画像に関連付けられた情報を含むことのできる別のデータ構造を特定する値を含んでもよい。
【００５５】
図３Ｂを参照して、データ構造３０２は、汎用フィールドID３５０、撮影者名３５５、被写体名３６０、被写体電話番号３６５、被写体住所３７０、被写体電子メール３７５、及びその他の情報３８０を含んでよい。汎用フィールドID３５０は、汎用フィールド(1)３４０及び／又は汎用フィールド(N)３４５に関連付けられた値を特定する情報を含んでよい。汎用フィールドID３５０内の情報は、データ構造３０２をデータ構造３００に関連付ける機能を果たしてもよい。
【００５６】
撮影者名３５５は、カメラ２５０を用いて画像が取り込まれた際の端末１００の操作者を特定する情報を含んでよい。一実施形態において、撮影者名３５５は、端末１００の所有者の名前のような、端末１００に格納されている所有者識別子から得られる情報を用いて自動的に補われてもよい。別の実施形態において、ユーザは撮影者名をキーパッド１００、コントロールキー１２０、音声プロンプト、及び／又はタッチセンサ式ディスプレイを通じて入力してもよい。さらに別の実施形態において、撮影者名３５５は、端末１００に画像を送信するリモート装置のような、リモート装置から取得されてもよい。
【００５７】
被写体名３６０は端末１００に関連付けられた画像中の被写体を特定する情報及び／又は画像に写されている人物を特定する情報（例えば、撮影者または端末１００のユーザの名前）を含んでよい。被写体電話番号３６５は、被写体名３６０で特定される被写体に関連付けられた電話番号を特定する情報を含んでよい。被写体住所３７０は、被写体名３６０で特定される被写体に関連付けられた電話番号を特定する情報を含んでよい。被写体電子メール３７５は、被写体名３６０で特定される被写体に関連付けられた電子メールアドレスを特定する情報を含んでよい。その他の情報３８０は、被写体名３６０及び／又はデータ構造３００／３０２における他のフィールドを用いて特定される被写体に関連付けられた情報を含んでよい。例えば、その他の情報３８０は、端末１００のユーザによって取り込まれた画像に関連付けられたメモ及び／又は、画像及び／又は被写体に関連付けられた音声情報へのリンクを含んでよい。
【００５８】
データ構造３００／３０２の他の実施形態は、より多くのフィールド又はより少ないフィールドを含んでよい。さらに、端末１００の実施形態は、第１の画像に関連付けられた第１のデータ構造および第２の画像に関連付けられた第２のデータ構造といったように、実質的に任意の数のデータ構造３００／３０２を含んでよい。データ構造３００／３０２は様々な形式で実現されてよい。例えば、一実施形態において、データ構造３００／３０２内の情報は、画像の内容に関連付けられたメタデータとして格納されてもよい。
【００５９】
例示的な画像ラベル付け方法
実施形態に係る端末１００は、画像を、その画像、その画像中の被写体（人物）及び／又はその画像に関連付けられた被写体（人物）、その画像に関連付けられた場所、画像のサイズ、画像の形式、画像のステータス、等を特定するために利用可能な情報（例えば、画像名、人物の名前、その画像が取り込まれた場所など）にラベル付けしてもよい。画像は様々な方法を用いてラベル付けされてよい。例えば、ラベルは、端末１００のユーザが入力した情報及び／又は、撮影される被写体が携行している装置のような装置から受信した情報を含んでよい。
【００６０】
図４Ａは、表示された画像に情報を関連付ける例示的な方法を示す図である。図４Ａにおいて、画像データ４１０（以下、画像４１０）は、データ構造３００及び／又は３０２、又はデータ構造３００及び／又は３０２の一部を用いてラベル付けされてよい。データ構造３００及び／又は３０２は、図４Ａに示すように、画像４１０の一部、例えば下部に書き込まれる。データ構造３００／３０２及び画像４１０は、端末１００に格納されても、端末１００を用いて他の装置から受信されても、及び／又は端末１００を用いて宛先へ送信されてもよい。
【００６１】
図４Ｂは、画像に情報をリンクする例示的な方法を示す図である。図４Ｂの実施形態において、画像４１０及びデータ構造３０２は、ストレージ２２０の異なる記憶場所に格納されるといったように、個別に格納されて良く、リンク４２０を用いて互いにリンクされてよい。リンク４２０はあるオブジェクトが他のオブジェクトを参照するための装置又は方法を含んでもよい。一実施形態において、リンク４２０はポインタであってよい。例えば、第１の画像は、第１の画像についての被写体情報を含んだ第１のデータ構造を有することができ、第１のデータ構造は図４Ａのデータ構造と類似の構造で第１の画像とともに格納される。第２の画像は第１の画像に現れるのと同じ被写体を含んでもよい。第２の画像はリンク４２０を用いて第１のデータ構造とリンクされて良く、それによって第１のデータ構造及び／又はそこに格納される情報が重複して格納される必要性を無くしている。
【００６２】
例示的な処理
図５は、画像に基づく発呼を実行するために使用可能な例示的な処理を示す図である。ユーザは端末１００を用いてデジタル画像を取り込むことができる（ブロック５１０）。ここで、ユーザは、不慣れな街にいる旅行者であるとする。例えば、スウェーデン人がニューヨークで休日を過ごしているかもしれない。旅行者はマンハッタンを見物し、デジタルカメラを備えたセルラ電話機（例えば端末１００）を用いて撮影するかもしれない。旅行者は環境に不慣れなため、撮影した被写体の名前及び／又は端末１００を用いて画像を撮影した場所の名前を覚えていないであろう。例えば、旅行者はニューヨーク市に住んでいる人物（在住者）と会っているかも知れない。在住者がマンハッタンを旅行者に案内しているかもしれない。旅行者は１つ又は複数のランドマークの前で、その居住者を撮影しているかもしれない。旅行者は休暇中に他の人にも会っているかもしれないので、旅行者がスウェーデンの自宅に戻った際に、居住者の名前を覚えていないかもしれない。実施形態に係る端末１００は、旅行者が端末１００及び／又は他の装置を用いて撮影した人物を特定することを助けるであろう。
【００６３】
端末１００は、被写体情報を受信するように構成されうる（ブロック５２０）。端末１００は、ユーザの名前、住所、電話番号及び電子メールアドレスといった、ユーザ（旅行者）に関連付けられた被写体情報を受信することができる。端末１００は、ユーザが端末１００を用いて取り込んだ画像に現れる人物のように、ユーザ以外の人物に関連付けられた情報、及び／又は、端末１００に画像を送信しうる撮影者のような、他の画像に関連付けられた人物に関連付けられた情報を受信してもよい。例えば、ユーザはデータ構造３０２に関連付けられた情報を端末１００に入力してもよい。ここで、データ構造３０２内の情報は、ユーザが端末１００を用いて撮像した１つ又は複数の画像（写真）中の被写体に関連付けられる。旅行者が居住者の名前（図３Ｂ、Janis Joplin）、電話番号(800-555-1212)、住所(4 Elm Street)、及び／又は電子メールアドレス(Joplin@oldies.com)を端末１００に入力したとする。
【００６４】
端末１００は、画像に被写体情報を関連付けてよい（ブロック５３０）。例えば、端末１００はデータ構造３０２を、画像４１０のような画像に付加してもよい（図４Ａ）及び／又は、データ構造３０２を、リンク４２０を用いて画像４１０に関連付けてもよい（図４Ｂ）。端末１００は、画像４１０に被写体情報を関連付けるために、画像４１０を格納しているファイルに関連付けられたタグ及び／又はフィールドを用いてもよい。端末１００は、ディスプレイ１４０に画像４１０とデータ構造３０２中の被写体情報とを一緒に表示できるよう、画像表示ロジック２６０と互換性のある形式で、被写体情報を画像にマッピングしてよい。画像４１０及びデータ構造３０２が端末１００を用いて関連付けされると、端末１００及び／又はユーザが、画像４１０を用いてデータ構造３０２内の情報にアクセス可能となってよい。
【００６５】
旅行者が、聖パトリック教会（教会）の前で居住者の画像を撮影したとする。旅行者は居住者と教会の画像をディスプレイ１４０に表示することができる。旅行者は、データ構造３０２に格納されている居住者の情報（例えば名前、電話番号、住所、及び／又は電子メールアドレス）を、表示されている画像と関連付けることができる。
【００６６】
一実施形態において、旅行者が、居住者の顔又は他の特徴を、データ構造３０２内の情報とリンクさせることが可能であってもよい。例えば、旅行者は画像４１０中のJanis Joplinの顔の上にカーソルを置き、コントロールキー１２０及び／又はキー群１１２の１つのようなボタン／キーを押下することにより、データ構造３０２内の情報をJanis Joplinの顔に関連付けすることができる。
【００６７】
端末１００は、ディスプレイ１４０を用いて被写体情報を表示する際、画像のヘッダから被写体情報を読み出してよい。別の実施形態において、端末１００は被写体情報を自動的に画像に関連付けてもよい。例えば、端末１００は、画像を取り込み、被写体情報を他のアプリケーション（例えばデータベース）から、被写体から（例えば無線リンクを用いて）、及び／又は他の画像（例えば端末１００に保存されている他の画像のヘッダ部分から）から読み出し、ユーザの入力無しに、取り込んだ画像に被写体情報を関連付けることができる。端末１００は、被写体情報を、画像と共にディスプレイ１４０に表示することができる。
【００６８】
端末１００は画像及び／又はデータ構造を格納することができる（ブロック５４０）。例えば、端末１００は画像４１０及びデータ構造３０２をストレージ２２０の１つの記憶場所に保存してもよいし、画像４１０をストレージ２２０の第１の保存場所に、データ構造３０２をストレージ２２０の第２の保存場所に保存してもよい。端末１００はデータ構造３０２を、画像４１０のヘッダの一部に格納してもよい。データ構造３０２は画像４１０よりもサイズが小さいであろうから、データ構造３０２を画像４１０とともに保存しても、画像４１０のみを保存する場合に対して記憶容量に対する影響は無視できる程度であろう。
【００６９】
画像４１０（教会及びJanis Joplin)が表示されている状態で、旅行者がマイク１５０に向かって「画像保存」コマンドを話したとする。端末１００は教会／居住者画像および居住者の情報（例えば、データ構造３０２）をストレージ２２０に保存することができる。端末１００は教会／居住者画像及びデータ構造３０２を一緒に及び／又は別々に保存することができる。端末１００はさらに、画像４１０中のJanis Joplinの顔から、データ構造３０２内の彼女の名前へのリンクのような、画像４１０の部分とデータ構造３０２との間の関係を保存してもよい。
【００７０】
別の実施形態において、端末１００は画像４１０を自動的に、すなわち、ユーザからの指示を必要とせずに、保存してもよい。例えば、端末１００は自動的に画像を取り込み、被写体情報をその画像に関連付け、その画像と被写体情報とを保存してもよい。
【００７１】
後で、ユーザは画像４１０及び被写体情報をストレージ２２０から読み戻してもよい（ブロック５５０）。例えば、旅行者がスウェーデンの自宅へ戻っており、友人に休日の写真を見せているかも知れない。旅行者は、居住者(Janis Joplin)を含んだ教会の画像を読み出しているかもしれない。データ構造３０２内の居住者の情報（例えば、Janis Joplin, 800-555-1212, 4 Elm St.及び／又はJoplin@oldies.com)が、教会の画像とともにディスプレイ１４０に表示されうる。例えば、端末１００は、画像４１０のヘッダから被写体情報を読み出し、読み出した被写体情報を教会／居住者の画像とともにディスプレイ１４０に表示することができる。旅行者は、ディスプレイ１４０上の居住者の肖像の近くに表示された名前を見ると、居住者の名前を思い出すであろう。一実施形態において、旅行者は画像中に表示されている居住者を選択することができ、その居住者の情報がディスプレイ１４０において強調及び／又は点滅表示されてもよい。
【００７２】
端末１００は、関連付けされた被写体情報を含んだ画像を実質的に任意の数だけ含むことのできる画像カタログを、旅行者がスクロールできるように構成されてよい。端末１００は、個々の画像のヘッダから被写体情報を読み出し、画像がディスプレイ１４０に表示される際に、その画像の被写体情報を表示してもよい。
【００７３】
ユーザは画像中に表示されている被写体に発呼してもよい（ブロック５５０）。例えば、旅行者はコントロールキー１２０やキー群１１２を押下したり、プロンプトを発声したりといったことにより、画像４１０中に表示されている居住者に発呼することができる。旅行者がマイク１５０に向かって「発呼」と発声したとすると、端末１００はJanis Joplinへ繋がるように800-555-1212へダイヤルする。この際、Janis Joplinの写真及び／又は名前「Janis Joplin」が、教会の画像とともにディスプレイ１４０に現れている。あるいは、旅行者は「電子メール」と発声して、端末１００に対し、ディスプレイ１４０上に電子メール編集ウィンドウを開かせたり、及び／又は予め編集済みの電子メールをJoplin@oldies.comへ送信させたりしてもよい。他の実施形態は、ある画像中に表示されている１又は複数の被写体を旅行者が選択できるようにするとともに、選択された被写体に対し、会議通話のような多者通話を形成するように同時発呼することを可能としてもよい。
【００７４】
実施形態において、取り込んだ画像を自動的に端末１００のユーザに関連付けられた被写体情報とラベル付けするよう、ユーザが端末１００を構成することを可能にしてもよい。端末１００は、取り込んだ画像とともに、ユーザの情報を宛先へ送信してもよい。受信装置（宛先装置）は、受信した画像が宛先装置で表示される際、ユーザ情報を表示させてもよい。宛先装置の操作者は、受信した画像及びユーザ情報が宛先装置に表示されている状態で、コントロールキーの押下といった、ある動作を実行することにより、そのユーザへ発呼することができる。
【００７５】
別の実施形態において、ユーザは音声を記録することができると共に、画像にデータ構造３０２の情報を付加する際に、記録した音声を画像に付加することが可能であってよい。例えば、旅行者が、聖パトリック教会の鐘楼で演奏された聖歌を、端末１００のマイク１５０を用いて録音することができたとする。旅行者はデジタル化された聖歌及び／又は他の情報（例えばキーパッド１１０を用いて入力された情報）を、教会／居住者を含んだ画像に、及び／又は、居住者(Janis Joplin)に関連付けられた情報を格納するデータ構造３０２に添付することができる。旅行者は聖歌、画像及び被写体情報をストレージ２２０に保存することができる。旅行者は教会の画像、デジタル化された聖歌及びデータ構造３０２内の情報を読み出すこと及び／又は教会の画像、デジタル化された聖歌及びデータ構造３０２内の情報を無線及び／又は有線リンクを用いて宛先へ送信することができる。
【００７６】
さらに別の実施形態において、端末１００はデータベースから１つ又は複数の名前を読み出し、ユーザ操作に基づいて、読み出した名前の１つを表示されている画像に関連付けてもよい。ユーザが送信元装置から画像を受信し、その画像にBilly Joelという名前の人物の写真が含まれているとする。そして、その写真には端末１００で受信された際に、ラベル「Bill」が関連付けられていたとする。端末１００は、受信した画像内に表示されている適切な人物をユーザが選択できるよう、端末内でBillという名前を検索する。例えば、端末１００がBill Jones、Thomas Bill White、Mr. Bill及びBilly Joelを表示したとする。ユーザはBilly Joelを選択することができ、端末１００はBilly Joel及びBilly Joelの連絡先情報を、Billと特定された画像のヘッダ部分に格納することができる。端末１００は端末１００上のローカルデータベース（例えば、端末１００内の電話帳）及び／又はリモートデータベース（例えばサーバ上にある、ある組織用の電話番号簿）から、名前を検索することができる。データベースから検索した情報は、画像ファイルヘッダ、テキストファイル、及び／又はファイル及び／又はフォーマットの他の部分から読み出されたものであってよい。
【００７７】
結び
ここで説明した実施形態は、被写体情報のような情報を、移動端末を用いて取り込んだ画像に関連付けることを容易にすることができる。実施形態はさらに、画像中に表示されている被写体に関連付けられた電話番号への、端末１００を用いた発呼を容易にすることができる。
【００７８】
本発明の好適な実施形態の記述は、例証及び説明を与えるものであるが、本発明を余すところ無く開示することや、本発明を開示されたものに限定することを意図したものではない。上述の教示を踏まえて変更物又は派生物を実現することも可能であるし、本発明の実践からも変更物又は派生物を得ることができる。
【００７９】
図５に関して一連の動作を説明したが、本発明の原理に準拠する他の実施形態において、それら動作の順序は変更されうる。さらに、依存関係にない複数の動作は並行して実施されてもよい。
【００８０】
本技術分野に属する当業者は、上述したような本発明の見地が、図面に記載された実施形態において、ソフトウェア、ファームウェア及びハードウェアの異なる形態で実施されうることを理解するであろう。本発明の原理に従った見地を実施するために用いられる実際のソフトウェアコード又は専用の制御ハードウェアは、本発明を限定しない。従って、見地の動作及び振る舞いは、特定のソフトウェアコードを参照することなく記述されているが、本技術分野に属する当業者が記述に基づいて本発明の見地を実施するためのソフトウェア及び制御ハードウェアを設計できる程度に記載されているものと理解されるべきである。
【００８１】
さらに、本発明のある複数の部分は、１つ以上の機能を実行する「ロジック」として実現されうる。このロジックは、ハードウェアロジックのようなハードウェア、特定用途向け集積回路、フィールドプログラマブルゲートアレイ、マイクロプロセッサ、ソフトウェア、又はハードウェアとソフトウェアの組み合わせを含むことができる。
【００８２】
なお、本明細書及び／又は請求項において「有する／備える」という語が用いられる場合、説明された機能、整数、ステップ、又は構成部品の存在を特定するものとして解釈されるが、他の機能、整数、ステップ、構成部品、又はそのグループの１つ又はそれより多くの存在や付加を排除するものではないことを強調しておく。
【００８３】
本願において用いられるいかなる要素、動作、又は命令も、それが必須であると明記されていない限り、本発明にとって重大又は必須なものと解釈されるべきではない。また、複数と明記されていないものは、１つ又は複数の場合を含むことが意図されている。１つであることが意図されている場合には、「１つの」または類似の記載が用いられている。さらに、「〜に基づく」という表現は、特に明示されていない限り、「少なくとも一部が〜に基づく」という意味を意図している。
【図１Ａ】
2009542074.tif 000003
【図１Ｂ】
2009542074.tif 000004
【図２】
2009542074.tif 000005
【図３Ａ】
2009542074.tif 000006
【図３Ｂ】
2009542074.tif 000007
【図４Ａ】
2009542074.tif 000008
【図４Ｂ】
2009542074.tif 000009
【図５】
2009542074.tif 000010
【手続補正書】
【提出日】平成20年4月23日(2008.4.23)
【手続補正１】
【補正対象書類名】特許請求の範囲
【補正対象項目名】全文
【補正方法】変更
【補正の内容】
【特許請求の範囲】
【請求項１】
被写体を含む画像であって、ヘッダ部分を含む画像ファイルに関連付けられた画像を表示するとともに、
前記ヘッダ部分に格納され、前記被写体に関連付けられた通信識別子を含む被写体情報を表示する、
ための画像表示部品と、
リモート装置から、ヘッダ部分に前記被写体情報が格納された前記画像を受信するとともに、
前記通信識別子を用いて前記被写体に連絡する、
ための送受信器と、
前記画像及び前記被写体情報を前記画像表示部品に提供し、
前記被写体への連絡要求を受信し、
前記通信識別子を前記ヘッダ部分から読み出し、
前記通信識別子を前記送受信器へ送信して前記送受信器に前記被写体への連絡を行わせる、
ためのプロセッサ、
とを有することを特徴とする装置。
【請求項２】
ユーザ入力に応答して前記画像を取り込むためのカメラをさらに有することを特徴とする請求項１記載の装置。
【請求項３】
前記通信識別子が、名前、電話番号、電子メールアドレス、インスタントメッセージングアドレス、インターネットプロトコルアドレス、又は住所を有することを特徴とする請求項１記載の装置。
【請求項４】
前記ヘッダ部分が、ヘッダ、開始フレーム、開始セグメント、マーカ、又はタグを有することを特徴とする請求項１記載の装置。
【請求項５】
前記送受信器が、電話番号をダイヤルして、電子メールアドレスに電子メールを送信して、又はインスタントメッセージングアドレスにインスタントメッセージを送信して、前記被写体に連絡することを特徴とする請求項１記載の装置。
【請求項６】
前記プロセッサが、音声プロンプト、コントロールキー信号、キーパッド信号、又はタッチセンサー式ディスプレイ信号に応答して前記要求を受信することを特徴とする請求項１記載の装置。
【請求項７】
前記プロセッサが、前記命令の提供に先立って、前記被写体を選択する選択インジケータを受信することを特徴とする請求項１記載の装置。
【請求項８】
前記装置が、前記被写体情報をユーザ又は他の装置から受信することを特徴とする請求項１記載の装置。
【請求項９】
前記装置が、前記ヘッダ部分の中の前記被写体情報を保存するためのストレージを有することを特徴とする請求項１記載の装置。
【請求項１０】
前記送受信器が、前記画像及び前記被写体情報を、自動的に、又はリモート装置からの要求に基づいて、宛先に送信することを特徴とする請求項１記載の装置。
【請求項１１】
画像であって、当該画像に現れている被写体に関連付けられた被写体情報がヘッダに格納された画像をリモート装置から受信するとともに、
前記被写体情報に基づいて生成される通信要求に基づいて前記被写体との通信セッションを確立する、
ための送受信器と、
前記画像及び前記被写体情報を表示するためのディスプレイと、
前記被写体情報を前記ヘッダから読み出し、
前記被写体情報及び前記画像を前記ディスプレイに提供し、
前記画像の内容又は前記被写体情報に基づいて生成されるユーザ入力に応答して前記通信要求を生成する、
ためのプロセッサ、
とを有することを特徴とする移動端末。
【請求項１２】
第２の画像を取り込むためのカメラを有し、
前記プロセッサが、
第２の被写体情報を前記第２の画像のヘッダに関連付け、
前記ヘッダから前記第２の被写体情報を読み出し、
前記読み出された第２の被写体情報に基づいて、第２の被写体との第２の通信セッションを確立するために用いられる第２の通信要求を生成する、
ことを特徴とする請求項１１記載の移動端末。
【請求項１３】
ヘッダを有する画像を受信する工程と、
被写体又は前記被写体についての連絡先情報を特定する被写体情報を、前記ヘッダから読み出す工程と、
無線装置のディスプレイを用いて前記画像及び前記被写体情報を表示する工程と、
前記表示する工程に基づいて前記被写体情報を選択する工程と、
前記選択する工程に基づいて、前記連絡先情報を用いて前記被写体との通信セッションを確立する工程と、
を有することを特徴とする方法。
【請求項１４】
前記受信する工程が、カメラから前記画像を受信する工程をさらに有するとともに、
前記方法が、
リモート装置、ユーザ入力、ローカルデータベース、リモートデータベース、ローカルアプリケーション、又はリモートアプリケーションを用いて前記被写体情報を受信する工程をさらに有することを特徴とする請求項１３記載の方法。
【請求項１５】
前記画像及び前記被写体情報を前記通信セッション中に前記リモート装置に送信する工程をさらに有することを特徴とする請求項１３記載の方法。
【請求項１６】
画像を取り込む工程と、
データ部分及びヘッダ部分を有する画像ファイルを生成する工程と、
前記データ部分に前記画像を、前記ヘッダ部分に、ユーザを特定し、電話番号、電子メールアドレス、又はインスタントメッセージアドレスを含む被写体情報を、それぞれ自動的に格納する工程と、
宛先装置で前記画像データを表示することに応答して、前記宛先装置が前記被写体情報を用いて前記ユーザに連絡することができるよう、前記画像ファイルを無線リンクを介して宛先へ送信する工程と、
を有することを特徴とする方法。
【請求項１７】
画像を取り込む工程と、
データ部分及びヘッダ部分を有する画像ファイルを生成する工程と、
被写体名および被写体連絡先情報を含み、前記画像内の被写体に関連付けられた被写体情報を、無線装置で稼働中のローカルアプリケーション、又は、無線リンクを介して前記無線装置にデータを送信するリモートアプリケーションから読み出す工程と、
前記データ部分を用いて前記画像を格納する工程と、
前記ヘッダ部分を用いて前記被写体情報を格納する工程と、
前記被写体連絡先情報に基づいて前記被写体との通信セッションを確立する工程と、
を有し、
前記被写体連絡先情報は、前記通信セッションの確立に先立って前記ヘッダから読み出されることを特徴とする方法。
【請求項１８】
前記画像及び前記被写体情報を表示する工程と、
ユーザ入力に応答して命令を生成する工程と、
をさらに有し、
前記確立する工程は、前記命令に応答して実行されることを特徴とする請求項１７記載の方法。
【手続補正書】
【提出日】平成21年2月20日(2009.2.20)
【手続補正１】
【補正対象書類名】特許請求の範囲
【補正対象項目名】全文
【補正方法】変更
【補正の内容】
【特許請求の範囲】
【請求項１】
被写体を含む画像であって、ヘッダ部分を含む画像ファイルに関連付けられた画像を表示するとともに、
前記ヘッダ部分に格納され、前記被写体に関連付けられた通信識別子を含む被写体情報を表示する、
ための画像表示部品と、
リモート装置から、ヘッダ部分に前記被写体情報が格納された前記画像を受信するとともに、
前記通信識別子を用いて前記被写体に連絡する、
ための送受信器と、
前記画像及び前記被写体情報を前記画像表示部品に提供し、
前記被写体への連絡要求を受信し、
前記通信識別子を前記ヘッダ部分から読み出し、
前記通信識別子を前記送受信器へ送信して前記送受信器に前記被写体への連絡を行わせる、
ためのプロセッサ、
とを有することを特徴とする装置。
【請求項２】
前記通信識別子が、名前、電話番号、電子メールアドレス、インスタントメッセージングアドレス、インターネットプロトコルアドレス、又は住所を有することを特徴とする請求項１記載の装置。
【請求項３】
前記装置が、前記ヘッダ部分の中の前記被写体情報を保存するためのストレージを有することを特徴とする請求項１記載の装置。
【請求項４】
前記送受信器が、前記画像及び前記被写体情報を、自動的に、あるいはリモート装置からの要求に基づいて、宛先に送信することを特徴とする請求項１記載の装置。
【請求項５】
画像であって、当該画像に現れている被写体に関連付けられた被写体情報がヘッダに格納された画像をリモート装置から受信するとともに、
前記被写体情報に基づいて生成される通信要求に基づいて前記被写体との通信セッションを確立する、
ための送受信器と、
前記画像及び前記被写体情報を表示するためのディスプレイと、
前記被写体情報を前記ヘッダから読み出し、
前記被写体情報及び前記画像を前記ディスプレイに提供し、
前記画像の内容又は前記被写体情報に基づいて生成されるユーザ入力に応答して前記通信要求を生成する、
ためのプロセッサ、
とを有することを特徴とする移動端末。
【請求項６】
第２の画像を取り込むためのカメラを有し、
前記プロセッサが、
第２の被写体情報を前記第２の画像のヘッダに関連付け、
前記ヘッダから前記第２の被写体情報を読み出し、
前記読み出された第２の被写体情報に基づいて、第２の被写体との第２の通信セッションを確立するために用いられる第２の通信要求を生成する、
ことを特徴とする請求項５記載の移動端末。
【請求項７】
ヘッダを有する画像を受信する工程と、
被写体又は前記被写体についての連絡先情報を特定する被写体情報を、前記ヘッダから読み出す工程と、
無線装置のディスプレイを用いて前記画像及び前記被写体情報を表示する工程と、
前記表示する工程に基づいて前記被写体情報を選択する工程と、
前記選択する工程に基づいて、前記連絡先情報を用いて前記被写体との通信セッションを確立する工程と、
を有することを特徴とする方法。
【請求項８】
前記画像及び前記被写体情報を前記通信セッション中に前記リモート装置に送信する工程をさらに有することを特徴とする請求項７記載の方法。
【請求項９】
画像を取り込む工程と、
データ部分及びヘッダ部分を有する画像ファイルを生成する工程と、
被写体名および被写体連絡先情報を含み、前記画像内の被写体に関連付けられた被写体情報を、無線装置で稼働中のローカルアプリケーション、又は、無線リンクを介して前記無線装置にデータを送信するリモートアプリケーションから読み出す工程と、
前記データ部分を用いて前記画像を格納する工程と、
前記ヘッダ部分を用いて前記被写体情報を格納する工程と、
前記被写体連絡先情報に基づいて前記被写体との通信セッションを確立する工程と、
を有し、
前記被写体連絡先情報は、前記通信セッションの確立に先立って前記ヘッダから読み出されることを特徴とする方法。
【請求項１０】
前記画像及び前記被写体情報を表示する工程と、
ユーザ入力に応答して命令を生成する工程と、
をさらに有し、
前記確立する工程は、前記命令に応答して実行されることを特徴とする請求項９記載の方法。
【国際調査報告】
2009542074.tif 000011
2009542074.tif 000012
2009542074.tif 000013